(57)【特許請求の範囲】
【請求項１】
ｅｘ  ｖｉｖｏの全血試料のインタクトな有核細胞において、分析物を安定化させるための液体組成物であって、該組成物が水溶液を含み、該溶液が抗凝血剤、リン酸塩、細胞代謝可能糖、アデニン、および抗酸化剤を含む、ここで該抗酸化剤が、ＳｋＱ１、ＭｉｔｏＱ、およびＳＳ−３１からなる群より選択されるミトコンドリア標的抗酸化剤を含み、そして該抗酸化剤の濃度が、該組成物と全血試料の混合物において、５０ｎＭ〜２００μＭ  ＳｋＱ１、５０ｎＭ〜２５０ｎＭ  ＭｉｔｏＱ、および５００ｎＭ〜１０μＭ  ＳＳ−３１からなる群より選択される、前記液体組成物。
【請求項２】
Ｓｉｖｅｌｅｓｔａｔ、４−（２−アミノエチル）ベンゼンスルホニルフルオリド塩酸塩（ＡＥＢＳＦ）、およびその混合物からなる群より選択されるプロテアーゼ阻害剤をさらに含む、請求項１記載の組成物。
【請求項３】
抗酸化剤が、第一および第二の抗酸化剤の混合物であり、第一の抗酸化剤がミトコンドリア標的抗酸化剤であり、そして第二の抗酸化剤がミトコンドリア標的抗酸化剤以外の抗酸化剤である、請求項１または２記載の組成物。
【請求項４】
第二の抗酸化剤が、グルタチオン、アセチルサリチル酸、Ｎ−アセチル−５−アミノサリチル酸、Ｎ−アセチルシステイン、６−ヒドロキシ−２，５，７，８−テトラメチルクロマン−２−カルボン酸（Ｔｒｏｌｏｘ）およびその混合物からなる群より選択される、請求項３記載の組成物。
【請求項５】
第一のミトコンドリア標的抗酸化剤が、ＳｋＱ１、ＭｉｔｏＱ、ＳＳ−３１、およびその混合物からなる群より選択される、請求項３記載の組成物。
【請求項６】
細胞代謝可能糖が、グルコースおよびフルクトースからなる群より選択される、請求項１〜５のいずれか１項に記載の組成物。
【請求項７】
採血容器中に封入されている、請求項１〜６のいずれか１項に記載の組成物。
【請求項８】
１０ｎＭ〜２００μＭの凝集体濃度で、１またはそれより多いミトコンドリア標的抗酸化剤を含む、請求項１〜７のいずれか１項に記載の組成物。
【請求項９】
１００ｎＭのＳｋＱ１、１００μＭのＳｋＱ１、１００ｎＭのＭｉｔｏＱ、および１μＭのＳＳ−３１からなる群より選択される、測定された量のミトコンドリア標的抗酸化剤を含む、請求項８記載の組成物。
【請求項１０】
１１．１ｍＭ〜１２．３ｍＭクエン酸三ナトリウム／２ｍＭ〜２．２ｍＭクエン酸、２ｍＭ〜２．２ｍＭ  ＮａＨ２ＰＯ４、１９．１ｍＭ〜２１．１ｍＭグルコース、０．２３ｍＭ〜０．２５ｍＭアデニン、０．２４ｍＭ〜０．２６ｍＭ  ＡＥＢＳＦ、９９０ｎＭ〜１．１μＭ  ＳＳ−３１、および９９０μＭ〜１．１ｍＭアセチルサリチル酸を含む、請求項１〜９のいずれか１項に記載の組成物。
【請求項１１】
ｅｘ  ｖｉｖｏの全血試料中のインタクトな有核細胞において、ＤＮＡ、ＲＮＡおよびタンパク質より選択される分析物を安定化させるための、採血容器中の水溶液の使用であって、該溶液は、抗凝血剤、リン酸塩、細胞代謝可能糖、アデニン、および測定された量のミトコンドリア標的抗酸化剤を含み、該抗酸化剤ＳｋＱ１、ＭｉｔｏＱ、およびＳＳ−３１より選ばれ、そして該抗酸化剤の濃度が、該水溶液と全血試料の混合物において、５０ｎＭ〜２００μＭ  ＳｋＱ１、５０ｎＭ〜２５０ｎＭ  ＭｉｔｏＱ、および５００ｎＭ〜１０μＭ  ＳＳ−３１からなる群より選択される、前記使用。
【請求項１２】
請求項１１に記載の使用に用いるための部分のキットであって、採血容器中に、抗凝血剤、リン酸塩、細胞代謝可能糖、アデニン、および、ＳｋＱ１、ＭｉｔｏＱ、およびＳＳ−３１からなる群より選択される測定された量のミトコンドリア標的抗酸化剤を含む水溶液を含み、そして、該キットはパッケージング材料、ラベル、および使用説明書シートをさらに含む、前記キット。
【請求項１３】
ｅｘ  ｖｉｖｏの全血試料のインタクトな有核細胞を安定化させるための方法であって
（ａ）ｅｘ  ｖｉｖｏの全血試料を提供し；
（ｂ）水溶液と工程（ａ）の試料を接触させ、そして混合し、それによって混合物を形成させる、ここで該混合物は抗凝血剤、リン酸塩、細胞代謝可能糖、アデニン、および、５０ｎＭ〜２００μＭ  ＳｋＱ１、５０ｎＭ〜２５０ｎＭ  ＭｉｔｏＱ、および５００ｎＭ〜１０μＭ  ＳＳ−３１からなる群より選択される測定された量のミトコンドリア標的抗酸化剤を含む；
（ｃ）工程（ｂ）で得た混合物をインキュベーションし、
それによって、ｅｘ  ｖｉｖｏ全血試料のインタクトな有核細胞を安定化させる
工程を含む、前記方法。
【請求項１４】
工程（ｂ）で得た混合物が、請求項１〜１０のいずれか１項に記載の組成物と工程（ａ）の試料の混合物である、請求項１３記載の方法。
【請求項１５】
０時間〜１２時間、０時間〜２４時間、０時間〜３６時間、０時間〜４８時間、０時間〜６０時間、および０時間〜７２時間からなる群より選択される時間間隔で、室温で工程（ｃ）を行う、請求項１３または１４記載の方法。
【請求項１６】
（ｄ）工程（ｃ）で得たインキュベーションした混合物から、インタクトな有核細胞を分離し；
（ｅ）該分離した有核細胞を溶解し、そして溶解物中の有核細胞の分析物を検出する、ここで該分析物は、ＤＮＡ、ＲＮＡ、およびタンパク質からなる群より選択される
工程をさらに含む、請求項１３〜１５のいずれか１項に記載の方法。
【請求項１７】
工程（ｂ）の混合物において、ミトコンドリア標的抗酸化剤が、５００ｎＭ〜１０μＭの濃度のＳＳ−３１である、請求項１６記載の方法。
【請求項１８】
工程（ｂ）の混合物が、２００ｎＭ〜１０ｍＭの濃度のアセチルサリチル酸、および５０ｎＭ〜１ｍＭの濃度のＡＥＢＳＦをさらに含む、請求項１７記載の方法。
【請求項１９】
工程（ｂ）の混合物において、ミトコンドリア標的抗酸化剤が、２５０ｎＭ〜２００μＭの濃度のＳｋＱ１である、請求項１６記載の方法。
【請求項２０】
工程（ｂ）の混合物が、１００ｍＭ〜６００ｍＭの濃度のグルタチオン、および１０ｍＭ〜３００ｍＭの濃度のＡＥＢＳＦをさらに含む、請求項１９記載の方法。
【請求項２１】
工程（ｂ）の混合物において、ミトコンドリア標的抗酸化剤が、５０ｎＭ〜２５０ｎＭの濃度のＳｋＱ１である、請求項１６記載の方法。
【請求項２２】
（ｄ）工程（ｃ）で得たインキュベーションした混合物から、インタクトな有核細胞を分離し；
（ｅ）工程（ｄ）の分離された有核細胞を培地と接触させ、そして生存細胞を培養する
工程をさらに含む、請求項１３〜１５のいずれか１項に記載の方法。
【発明の詳細な説明】
【技術分野】
【０００１】
本開示は、全血試料中に存在するインタクト（ｉｎｔａｃｔ）な生存細胞、特に有核細胞の安定化に有用な組成物、使用、キットおよび方法に関する。本開示は、ｅｘ  ｖｉｖｏの全血試料における有核細胞の安定化に関し、ｅｘ  ｖｉｖｏの全血試料のインタクトな有核細胞において分析物を安定化させるための液体組成物である添加剤によって達成され、該組成物は水溶液であり、該溶液は抗凝血剤、リン酸塩、細胞代謝可能糖、アデニン、および抗酸化剤を含み、ここで該抗酸化剤は、ミトコンドリア標的抗酸化剤、好ましくはＳｋＱ１、ＭｉｔｏＱ、ＳＳ−３１、およびその混合物からなる群より選択されるミトコンドリア標的抗酸化剤を含む。特定の態様において、液体組成物は、プロテアーゼ阻害剤をさらに含む。さらに、ｅｘ  ｖｉｖｏの全血試料のインタクトな有核細胞において、ＤＮＡ、ＲＮＡおよびタンパク質より選択される分析物を安定化させるための組成物の好適な使用、ならびに前記使用を実施するための組成物を含むキットを提供する。さらに、ｅｘ  ｖｉｖｏの全血試料のインタクトな有核細胞を安定化させるための特定の方法を提供する。
【発明の概要】
【０００２】
背景
全血は、医学において、診断分析のため、最も頻繁に収集される試料材料の１つである。しかし、全血のサンプリングおよび分析は、通常、別個の事象である。サンプリング工程後、インタクトな細胞、特にインタクトな有核細胞の長期に渡る安定化に関して、大きな技術的困難が存在する。当該技術分野には、サンプリングおよび分析の間の時間間隔を橋渡しするため、全血試料における有核細胞の生物学的状態を保存する特別な願望がある。Ｏｌｓｏｎ  ＷＣら（Ｊｏｕｒｎａｌ  ｏｆ  Ｔｒａｎｓｌａｔｉｏｎａｌ  Ｍｅｄｉｃｉｎｅ  ９  （２０１１）  ２６）、Ｔａｎｎｅｒら（Ｃｌｉｎ．  Ｌａｂ．  Ｈａｅｍ．  ２４  （２００２）  ３３７−３４１）、Ｂａｅｃｈｌｅｒら（Ｇｅｎｅｓ  ａｎｄ  Ｉｍｍｕｎｉｔｙ  ５  （２００４）  ３４７−３５３）、およびＥｌｌｉｏｔｔら（Ｉｎｔｅｒｎａｔｉｏｎａｌ  Ｊｏｕｒｎａｌ  ｏｆ  Ｅｐｉｄｅｍｉｏｌｏｇｙ  ３７  （２００８）  ２３４−２４４）を参照されたい。「生物学的状態の保存」または「安定化」は、細胞を、損なわれておらず、そして生存した状態で維持しながら、サンプリング時点で生存細胞中に存在する生体分子の組成およびレベルに関する変化が最小限である条件を提供すると理解される。これに関する関心対象の特定の生体分子は、ＤＮＡ、ＲＮＡおよびタンパク質である。
【０００３】
ＵＳ  ２０１０−０００３７４８およびＷＯ  ２００４／１０６４９４は、生存細胞を保存する方法を開示する。細胞ＤＮＡの安定化は、ＵＳ  ２００８−０２６８５１４において、以前取り組まれてきている。ＵＳ  ２０１１−０１１１４１０は、血液試料内のインタクトな細胞におけるＲＮＡの安定化を開示する。Ｍａｃｆａｒｌａｎｅ  ＤＥ  ＆  Ｄａｈｌｅ  ＣＥ（Ｊｏｕｒｎａｌ  ｏｆ  Ｃｌｉｎｉｃａｌ  Ｌａｂｏｒａｔｏｒｙ  Ａｎａｌｙｓｉｓ  １１  （１９９７）  １３２−１３９）は、室温で２週間保管された血液からのＲＮＡの単離を報告する。全血試料におけるｍＲＮＡの安定化は、Ｒａｉｎｅｎ  Ｌら（Ｃｌｉｎｉｃａｌ  Ｃｈｅｍｉｓｔｒｙ  ４８  （２００１）  １８８３−１８９０）に開示される。タンパク質レベルの、特に免疫学的特徴付けの目的のための細胞の安定化は、ＷＯ  ２００３／０１８７５７およびＵＳ  ５，４５９，０７３に開示される。
【０００４】
Ｂａｋｅｒ  ＣＪら（Ｊ．  ｏｆ  Ｓｕｒｇｉｃａｌ  Ｒｅｓ．  ８６  （１９９９）  １４５−１４９）は、水溶性アルファ−トコフェロール類似体が４℃で保管された細胞の生存能を改善することを報告する。ＵＳ  ７，６４５，４２５およびＵＳ  ７，３０９，４６８は、全血の安定化のための、特定のプロテイナーゼ阻害剤の使用を報告する。これに関して、多くのプロテイナーゼ阻害剤は毒性であり、そして細胞生存能を減少させることが注目される。
【０００５】
Ｍａｒｔｈａｎｄａｎ  Ｓ．ら  Ｆｒｅｅ  Ｒａｄｉｃａｌ  Ｒｅｓｅａｒｃｈ  ４５  （２０１１）  ３５１−３５８は、健康な個人由来の単離ヒト末梢血単核細胞に対する化合物ＭｉｔｏＱの影響に関して報告する。ＷＯ  １９９７／０１６９６７は、酸化ストレス誘導性血液構成要素損傷を減少させるための、特定の抗酸化剤の使用を開示する。
【発明が解決しようとする課題】
【０００６】
いくつかの細胞保存添加剤が当該技術分野に知られるが、室温で２〜３日間に渡って、有核細胞を含む全血試料を安定化させるためには、なお技術的な困難があるままである。ある時間間隔の後のインタクトな有核細胞の単離を可能にする手段が特に必要であり、ここで細胞は好ましくは生存している。より具体的には、時間間隔後の細胞の分析が、全血をサンプリングした時点での細胞の生物学的状態を緊密に反映するように、細胞における生体分子の組成およびレベルのいかなる変化も最小限であることが望ましい。
【課題を解決するための手段】
【０００７】
本明細書に報告する第一の側面は、ｅｘ  ｖｉｖｏの全血試料のインタクトな有核細胞において、分析物を安定化させるための液体組成物であって、該組成物が水溶液であり、該溶液が抗凝血剤、リン酸塩、細胞代謝可能糖、アデニン、および抗酸化剤を含み、ここで該抗酸化剤が、ミトコンドリア標的抗酸化剤、好ましくはＳｋＱ１、ＭｉｔｏＱ、ＳＳ−３１、およびその混合物からなる群より選択されるミトコンドリア標的抗酸化剤を含む、前記液体組成物である。
【０００８】
本明細書に報告する第二の側面は、ｅｘ  ｖｉｖｏの全血試料のインタクトな有核細胞において、ＤＮＡ、ＲＮＡおよびタンパク質より選択される分析物を安定化させるための、本明細書に開示するような組成物の使用である。
【０００９】
本明細書に報告する第三の側面は、本明細書の開示にしたがった、液体組成物を封入する採血容器を含む部分のキットであって、パッケージング材料、ラベル、および使用説明書シートをさらに含む、前記キットである。
【００１０】
本明細書に報告する第四の側面は、ｅｘ  ｖｉｖｏの全血試料のインタクトな有核細胞を安定化させるための方法であって、（ａ）ｅｘ  ｖｉｖｏの全血試料を提供し；（ｂ）本明細書の開示にしたがった組成物と、工程（ａ）の試料を接触させ、そして混合し；（ｃ）工程（ｂ）で得た混合物をインキュベーションし、それによって、ｅｘ  ｖｉｖｏ全血試料のインタクトな有核細胞を安定化させる工程を含む、前記方法である。
【図面の簡単な説明】
【００１１】
【図１】４８時間室温で保管した後の血液試料内にスパイク処理したＭＤＡ−ＭＢ−４６８細胞の検出。抗ＣＫ５／８抗原で免疫染色することによって検出されるＭＤＡ−ＭＢ−４６８細胞の割合を示す。実施例１に記載するようなアッセイによる標的細胞回収の平均率を示す「箱髭プロット」。第一の図示するボックス−ＥＤＴＡ：抗凝血剤としてのＥＤＴＡ中で保管された血液試料において検出されるＭＤＡ−ＭＢ−４６８細胞。第二のボックス−ＥＤＴＡ＋Ｓｉｖｅｌｅｓｔａｔ：抗凝血剤としてのＥＤＴＡおよび安定化剤としてのＳｉｖｅｌｅｓｔａｔ中で保管された血液試料において検出されるＭＤＡ−ＭＢ−４６８細胞。第三のボックス−ＥＤＴＡ＋Ｐｅｆａｂｌｏｃ（登録商標）ＳＣ：抗凝血剤としてのＥＤＴＡおよび安定化剤としてのＰｅｆａｂｌｏｃ（登録商標）ＳＣ中で保管された血液試料において検出されるＭＤＡ−ＭＢ−４６８細胞。第四のボックス−ＥＤＴＡ＋ＳＫＱ１：抗凝血剤としてのＥＤＴＡおよび安定化剤としてのＳＫＱ１中で保管された血液試料において検出されるＭＤＡ−ＭＢ−４６８細胞。第五のボックス−ＥＤＴＡ＋ＭｉｔｏＱ：抗凝血剤としてのＥＤＴＡおよび安定化剤としてのＭｉｔｏＱ中で保管された血液試料において検出されるＭＤＡ−ＭＢ−４６８細胞。第六のボックス−ＥＤＴＡ＋グルタチオン：抗凝血剤としてのＥＤＴＡおよび安定化剤としてのグルタチオン中で保管された血液試料において検出されるＭＤＡ−ＭＢ−４６８細胞。
【図２】４８時間室温で保管した後の、血液試料内にスパイク処理したＭＤＡ−ＭＢ−４６８細胞の検出。蛍光抗ＣＫ５／８抗体で免疫検出することによって検出されるＭＤＡ−ＭＢ−４６８細胞の割合を示す。実施例２に記載するアッセイによる標的細胞回収の平均の割合を示す「箱髭プロット」。第一の図示するボックス−ＥＤＴＡ：抗凝血剤としてのＥＤＴＡ中で保管された血液試料において検出されるＭＤＡ−ＭＢ−４６８細胞。第二のボックス−ＣＰＤＡ：クエン酸塩／クエン酸、リン酸塩、デキストロースおよびアデニン中で保管された血液試料において検出されるＭＤＡ−ＭＢ−４６８細胞。第三のボックス−ＣＰＤＡ＋ＳＳ−３１：クエン酸塩、リン酸塩、デキストロース、アデニンおよびＳＳ＋３１中で保管された血液試料において検出されるＭＤＡ−ＭＢ−４６８細胞。第四のボックス−ＣＰＤＡ＋グルタチオン：クエン酸塩、リン酸塩、デキストロース、アデニンおよびグルタチオン中で保管された血液試料において検出されるＭＤＡ−ＭＢ−４６８細胞。
【図３】ＤＮＡ収量に対する保管の影響。試料を、実施例３に示すように、ＥＤＴＡ、またはグルタチオン、ＳｋＱ１およびＰｅｆａｂｌｏｃ（登録商標）ＳＣを補充したＥＤＴＡ（「安定化剤３」）中に保管した。
【図４】実施例５に記載するように、ＥＤＴＡ中または安定化剤中のいずれかで、２人の血液ドナーから血液を収集した。試料に、ＭＤＡ−ＭＢ−４６８細胞をスパイク処理した。直ちに、そして７２時間室温でインキュベーションした後に、ＭＤＡ−ＭＢ−４６８細胞を単離し、そして核酸を抽出した。図に示す核酸パラメータセットをＲＴ−ＰＣＲまたはＰＣＲ（テンプレートに応じる）によって増幅した；内因性参照としてＧＣＫ  ＤＮＡを用いて、それぞれの核酸レベルの変化を計算した。「安定化剤７２ｈ」は、実施例５に記載するような安定化剤５と７２時間インキュベーションした試料を指す。
【図５】２人の異なるドナー由来の血液を、ＥＤＴＡまたは安定化剤のいずれかで安定化した。ＭＤＡ−ＭＢ−４６８細胞を血液試料にスパイク処理した。試料を室温で４８時間保管した。赤血球溶解、およびＣＤ３２６（ＥｐＣＡＭ）微小粒子を用いた免疫磁気単離によって、ＭＤＡ−ＭＢ−４６８細胞を濃縮した（実施例７を参照されたい）。１００時間よりも長く、細胞を培養した。白抜きの菱形：標本１、ＥＤＴＡ安定化；黒塗りの菱形：安定化剤５を含む標本１。白抜きの正方形：標本２、ＥＤＴＡ安定化；黒塗りの正方形：安定化剤５を含む標本２。白抜きの円：標本１、ＥＤＴＡ安定化；黒塗りの円：安定化剤５を含む標本１。白抜きの三角形：標本２、ＥＤＴＡ安定化；黒塗りの三角形：安定化剤５を含む標本２。
【発明を実施するための形態】
【００１２】
本開示の目的のため、特定の用語を、本明細書において、以下のように定義する。本開示の定義および引用参考文献の定義が対立する場合は、本開示が支配する。
本明細書において、用語「含む」は、最終結果に影響を及ぼさない他の工程および他の構成要素を利用してもよいことを意味する。用語「含む」は、表現「からなる」および「本質的にからなる」を含む。単数形の識別語、例えば「ｔｈｅ」、「ａ」、または「ａｎ」の使用は、単一の構成要素の使用にのみ限定することを意図せず、多数の構成要素を含むことも可能である。例えば、別に言及しない限り、表現「化合物（ａ  ｃｏｍｐｏｕｎｄ）」は、「１またはそれより多い化合物」の意味を有する。本明細書において、「複数」は、１より多いを意味すると理解される。例えば、複数は、少なくとも２、３、４、５、またはそれより多くを指す。特に言及しない限り、または文脈から明らかでない限り、本明細書において、用語「または」は包括的であると理解される。用語「および／または」は、列挙する要素の１またはすべて、あるいは列挙する要素の任意の２またはそれより多くの組み合わせを意味する。範囲は、本明細書において、その範囲内の各々およびすべての値を記載するための簡潔表現として用いられる（例えば１〜５には、１、１．５、２、２．７５、３、３．８０、４、５等が含まれる）。範囲内のいかなる値も、その範囲の末端として選択可能である。特に言及しない限り、または文脈から明らかでない限り、本明細書において、用語「約」は、当該技術分野の正常な許容範囲の範囲内と理解され、例えば平均の２標準偏差以内と理解される。異なって示されない場合、「約」は、言及する値の１０％、９％、８％、７％、６％、５％、４％、３％、２％、１％、０．５％、０．１％、０．０５％、または０．０１％以内と理解される。別に文脈から明らかでない限り、本明細書に提供するすべての数値は、用語「約」によって修飾可能である。
【００１３】
本明細書において、用語「室温」は、別に明記しない限り、典型的な実験室の周囲温度を意味し、これは通常、約１８℃〜２５℃である。特定の態様において、室温は、１８℃、１９℃、２０℃、２１℃、２２℃、２３℃、２４℃、および２５℃からなる群より選択される温度である。本明細書において、「精製された」または「単離された」化合物は、形成された混合物から分離されている化合物を意味する。細胞に関して、「精製された」または「単離された」細胞は、細胞混合物から濃縮されたかまたは分離された１またはそれより多い細胞または細胞群を意味する。限定されない例として、試料中に存在する赤血球を溶解し、そしてインタクトな有核細胞を、遠心分離によって分離し、上清を廃棄し、そしてペレットになった細胞を生理学的緩衝液中または細胞培地中に再懸濁することによって、全血のｅｘ  ｖｉｖｏ試料における細胞混合物から、有核細胞を単離することも可能である。
【００１４】
本明細書に開示するのは、「組成物」であり、該用語は、複数の成分を組み合わせそして混合した産物を示すと理解される。「液体」組成物は、凝集の液体状態で存在する組成物である。特に、本明細書に開示するような液体組成物は、水性組成物であり、溶媒としての水、および水に溶解された複数の水溶性化合物を含む溶液である。「分析物」は、一般的に、物質、特に細胞構成要素であり、限定されるわけではないが、物質の定性的または定量的検出のためのプロセスなどの分析プロセスの標的である。本開示の目的のための特定の分析物は、ＤＮＡ、ＲＮＡおよびタンパク質より選択され、後者は、オリゴペプチド、ポリペプチド、およびその翻訳後修飾誘導体を含む。
【００１５】
核酸を精製し、そして分析するための多数のプロセスが知られる。分析分野において、特定のＤＮＡまたはＲＮＡ配列の定性的および／または定量的検出に特に焦点が置かれる。ポリメラーゼ連鎖反応（ＰＣＲ）および関心対象のＤＮＡ配列の隣接部にハイブリダイズする特異的プライマーを用いて、前記配列を増幅可能であり、そして増幅された配列を検出可能である。こうした検出は、通常、標識プローブとのハイブリダイゼーション反応として実行される。いわゆるリアルタイムＰＣＲは、標的配列が増幅される間に、この検出工程が行われることを可能にする。ＲＮＡ配列の特異的検出のため、ＲＮＡは逆翻訳されて（ｒｅｖｅｒｓｅ−ｔｒａｎｓｌａｔｅｄ）ｃＤＮＡを形成する必要があり；次いで、ＰＣＲに基づくＤＮＡ増幅技術を用いて、標的ＲＮＡ配列を反映するｃＤＮＡを増幅し、そして検出することも可能である。
【００１６】
標的タンパク質の特異的検出は、典型的には標的に結合可能な特異的結合剤を利用して達成される。したがって、イムノアッセイ検出法は、このアプローチの限定されない例である。
【００１７】
本開示は特に、最長７２時間（０〜７２時間）、特に４８〜７２時間の期間に渡って、ｅｘ  ｖｉｖｏの全血試料のインタクトな有核細胞における、ＤＮＡ、ＲＮＡおよびタンパク質から選択される分析物を安定化させることに関し、該期間は、全血をサンプリングし、そして本明細書に開示するような安定化組成物と全血を接触させた時点から計測される。好適には、血液サンプリングおよび安定化組成物と血液の接触の間の時間は、３０秒未満である。
【００１８】
用語「安定化」には、血液試料の有核細胞の細胞膜を損なわれないままに維持し、そして有核細胞において細胞タンパク質および細胞ＤＮＡならびに細胞ＲＮＡ、そして特にサンプリング時点の遺伝子発現状態を反映する細胞ｍＲＮＡの組成を保存しそして維持する、特定の意味が含まれ；さらに、「安定化」は、有核細胞が壊死またはアポトーシスを経る傾向が実質的に減少しており、そして発現されるタンパク質のパターンが、大部分、不変のままである環境を提供することを含む。用語「安定化」には、生存細胞機能を補助し、細胞の中毒および細胞死を回避し、有核細胞を休止であるが生存している状態に維持することがさらに含まれる。
【００１９】
別に明確に言及しない限り、表現「クエン酸塩／クエン酸」は、クエン酸三ナトリウムおよびクエン酸の混合物を指す。単一の抗凝血剤としてのＥＤＴＡを含む血液への言及は、血液１ｍｌあたり約１．８ｍｇのＥＤＴＡ濃度を有する全血を意味する。
【００２０】
本明細書に開示するような第一の側面は、ｅｘ  ｖｉｖｏの全血試料のインタクトな有核細胞において、分析物を安定化させるための液体組成物であって、該組成物が水溶液であり、該溶液が抗凝血剤、リン酸塩、細胞代謝可能糖、アデニン、および抗酸化剤を含み、ここで該抗酸化剤が、ミトコンドリア標的抗酸化剤、好ましくはＳｋＱ１、ＭｉｔｏＱ、ＳＳ−３１、およびその混合物からなる群より選択されるミトコンドリア標的抗酸化剤を含む、前記液体組成物である。特に、分析物は、全血試料のインタクトな有核細胞のＤＮＡ、ＲＮＡおよびタンパク質より選択される。
【００２１】
用語「全血」は、本明細書に開示するすべての側面および態様において、脊椎動物から、特に哺乳動物から、より具体的には霊長類から、さらにより具体的にはヒトから、採血プロセス以外のいかなるさらなる処理も伴わずに、直接収集された血液を指す。採血プロセス自体は、本開示に記載する手技、使用および／または方法のいずれの部分でもないと理解される。むしろ、本開示は、「ｅｘ  ｖｉｖｏ」の全血、すなわち採血された生物の外の、そしてこうした生物から分離されている全血の試料の提供に基づく手技、使用および方法に関する。ｅｘ  ｖｉｖｏの全血は、全血の測定された量と理解される「試料」として提供される。
【００２２】
血液および／または血漿の凝固を阻害する添加剤は、分析しようとする細胞が、分析プロセス前に凝血によって負に影響を受けないことを確実にするために重要である。抗凝血は、カルシウムイオンの結合によって（ＥＤＴＡ、クエン酸塩）、またはトロンビン活性の阻害によって（ヘパリン、ヒルジン）起こる。したがって、ｅｘ  ｖｉｖｏ全血試料の凝血を防止するため、本明細書のすべての側面および態様に開示されるような組成物は、抗凝血剤、特にＥＤＴＡ、クエン酸塩、ヘパリン、ヒルジン、ワーファリン、およびその混合物からなる群より選択される抗凝血剤を含む。同時に完全性、すなわち溶解の非存在および有核細胞の生存能も許容する抗凝血添加物が当該技術分野に知られる。特定の態様において、本明細書に開示するようなすべての側面において、クエン酸ナトリウム／クエン酸が、それぞれ、１１．７ｍＭおよび２．１ｍＭの最終濃度まで、全血試料に添加される。
【００２３】
本明細書に開示するような組成物中のリン酸塩は、存在する場合、単独で、あるいはＥＤＴＡおよび／またはクエン酸塩と組み合わせて、生理学的ｐＨでの全血試料の緩衝を達成する。本明細書に開示するようなすべての側面の特定の態様において、リン酸塩はＮａＨ２ＰＯ４であり、さらにより特定の態様において、２．１ｍＭの最終濃度まで全血試料に添加される。さらなる添加剤は、細胞完全性および生存能を補助するための、アデニンおよび細胞代謝可能糖である。本明細書に開示するようなすべての側面のさらなる特定の態様において、アデニンは０．２４ｍＭの最終濃度まで全血試料に添加される。
【００２４】
特に、ｅｘ  ｖｉｖｏの全血試料の有核細胞を安定化させるため、有効量の抗酸化剤の存在が必須であることが、本開示の著者らによって見出された。抗酸化剤の観察される有益な効果は、活性酸素種が、試料における細胞不安定性のありうる原因であることを指摘する。活性酸素種は、典型的には、ＮＡＤＰＨオキシダーゼ、キサンチン・オキシダーゼ、ミトコンドリア電子伝達系、および機能障害性内皮一酸化窒素シンターゼによって生成される。細胞抗酸化剤防御系、例えばスーパーオキシド・ジスムターゼ、カタラーゼ、グルタチオン・ペルオキシダーゼ、ヘム・オキシゲナーゼ、パラオキソナーゼの能力が超過している場合、これは酸化性ストレスを生じ、細胞死を促進しうる。したがって、酸化性ストレスを防止するための手段には大きな関心が持たれる。
【００２５】
特に、ミトコンドリアは、ミトコンドリア電子伝達系複合体ＩおよびＩＩＩで、かなりの量のＯ２−を産生する。複合体Ｉは、ミトコンドリア・マトリックス内にＯ２−を放出し、そして低ＡＤＰ条件下での複合体ＩＩからの電子逆流のため、Ｏ２−の主な産生者と見なされる。マトリックスに局在するミトコンドリア・スーパーオキシド・ジスムターゼ２（ＳＯＤ２）は、Ｏ２−をＨ２Ｏ２に不均化（ｄｉｓｍｕｔａｔｅ）し、これは続いて、グルタチオン・ペルオキシダーゼまたはカタラーゼによって水に還元される。したがって、ＳＯＤ２の重要性は、Ｏ２−の解毒にあり、ＯＮＯＯ−（ペルオキシナイトライト）の生成および／またはミトコンドリア電子伝達系タンパク質およびミトコンドリアＤＮＡの酸化的損傷を防止し、これらはそうでなければミトコンドリア機能を損ないうる。複合体ＩＩＩはまた、ミトコンドリア膜間空間にＯ２−を放出し、ここでこれは、スーパーオキシド・ジスムターゼの別のアイソザイムであるＳＯＤ１によって不均化される。ミトコンドリア自体は、活性酸素種に感受性であることが知られる。酸化的損傷は、その活性を低下させ、そしてさらに活性酸素種の産生を増加させさえしうる。その増進されたレベルは、ミトコンドリアＤＮＡに損傷を与え、そしてミトコンドリア・アポトーシス因子の放出を刺激することが知られる。
【００２６】
重要なことに、本明細書に開示するすべての側面および態様における組成物は、ミトコンドリア標的抗酸化剤を含む。「抗酸化剤」は、一般的な意味で、酸化、または酸素、活性酸素種、および過酸化物によって促進される反応を阻害することが可能な分子である。これには、フリーラジカルの反応を阻害し、そして／または終結させることが可能な特性が含まれる。抗酸化剤は、典型的には、電子供与体として酸化反応に関与することが可能であり、したがってそれ自体酸化される、還元剤である。本明細書に開示するような理解にしたがった抗酸化剤は、細胞構成要素と競合する基質酸化標的として作用し、これは抗酸化剤の非存在下で酸化されて、そしてそれによって酸化的損傷によって損なわれるであろう。
【００２７】
「ミトコンドリア標的」抗酸化剤は、典型的には細胞外に適用される抗酸化剤であり、細胞のミトコンドリア区画において、特定の酸化プロセスが起こることを阻害するため、細胞膜を横断可能であり、そしてミトコンドリア膜と相互作用可能である。こうした細胞浸透性抗酸化剤に関する特定の例は、とりわけ、ＳｋＱ１、ＭｉｔｏＱ、ＳＳ−３１である。ＳｋＱ１はまた、１０−（６’−プラストキノニル）デシルトリフェニルホスホニウムを含む塩としても知られ、とりわけ、神経防御特性に関して知られる。標的細胞に細胞外適用される際、ＳｋＱ１はミトコンドリアにおける活性酸素種によって引き起こされる酸化ストレスを阻害することが示されてきている。ＭｉｔｏＱはミトキノール（還元型）およびミトキノン（酸化型）の混合物であり、これらは、（１０−（２，５−ジヒドロキシ−３，４−ジメトキシ−６−メチルフェニル）デシル）トリフェニルホスホニウムおよび（１０−（４，５−ジメトキシ−２−メチル−３，６−ジオキソシクロヘキサ−１，４−ジエニル）デシル）トリフェニルホスホニウムとしても知られる。ＭｉｔｏＱは、ユビキノール部分を含み、該部分は脂肪族炭素鎖を通じて親油性トリフェニルホスホニウムカチオンに共有結合する。細胞外適用されたＭｉｔｏＱの抗酸化反応は、主に、リン脂質二重層内で起こる。ＳＳ−３１（ｄ−Ａｒｇ−Ｄｍｔ−Ｌｙｓ−Ｐｈｅ−ＮＨ２；Ｄｍｔ＝２’，６’−ジメチルチロシン）は、細胞内フリーラジカルを減少させるいくつかの細胞浸透性抗酸化ペプチドのファミリーのメンバーである。ファミリー中の他のメンバー同様、ＳＳ−３１ペプチドは、ミトコンドリアを標的とし、そしてミトコンドリア浸透性遷移、膨張、およびチトクロームｃ放出に対してミトコンドリアを保護し、そしてｔ−ブチルヒドロペルオキシド誘導性アポトーシスを防止することが知られる。
【００２８】
いくつかの他のミトコンドリア標的抗酸化剤が当該技術分野に知られ、特に心臓血管および神経変性疾患の分野における臨床適用由来のものが知られる。原理的に、これらはまた、本開示の教示を実施するため、代替安定化化合物として好適に使用可能な化合物として適切である。
【００２９】
本明細書に開示するようなすべての側面の特定の態様において、ミトコンドリア標的抗酸化剤はＳｋＱ１である。さらにより特定の態様において、ＳｋＱ１を、５〜５００ｎＭの最終濃度まで、好適には５０〜２５０ｎＭの最終濃度まで、特に約１００ｎＭの最終濃度まで、全血試料に添加する。本明細書に開示するようなすべての側面のさらにさらなる特定の態様において、ミトコンドリア標的抗酸化剤はＳＳ−３１である。さらにより特定の態様において、ＳＳ−３１を、０．１〜５０μＭの最終濃度まで、好適には０．５〜１０μＭの最終濃度まで、特に約１μＭの最終濃度まで、全血試料に添加する。
【００３０】
本明細書に開示する抗酸化剤は、水溶液中で適用されるため、本開示のすべての側面および態様を実施するために選択される抗酸化剤は、好適には、水溶性であるか、または例えば限定されるわけではないが、表面活性剤、界面活性剤および乳化剤を含むヘルパー物質を用いて、水に可溶化されている。
【００３１】
本明細書に開示するようなすべての側面の特定の態様において、抗酸化剤は、第一および第二の抗酸化剤の混合物であり、ここで第一の抗酸化剤はミトコンドリア標的抗酸化剤であり、そして第二の抗酸化剤はミトコンドリア標的抗酸化剤以外の抗酸化剤である。この群は、還元活性を持つ水溶性分子を含み、ここで、該分子は、ミトコンドリア区画外の酸化を経ることが可能である。第二の抗酸化剤は、さらなる特定の態様において、ＳｋＱ１、ＭｉｔｏＱ、およびＳＳ−３１以外の抗酸化剤である。好適には、本明細書に開示するようなすべての側面のさらにより特定の態様において、第二の抗酸化剤は、グルタチオン、アセチルサリチル酸、Ｎ−アセチル−５−アミノサリチル酸、Ｎ−アセチルシステイン、６−ヒドロキシ−２，５，７，８−テトラメチルクロマン−２−カルボン酸（Ｔｒｏｌｏｘ）およびその混合物からなる群より選択される。
【００３２】
全血試料の有核細胞のさらなる安定化は、本明細書に開示するようなすべての側面および態様において、液体組成物におけるプロテアーゼ阻害剤の存在によって提供される。これに関して、特定の態様には、セリンプロテアーゼの阻害剤が含まれる。これに関して、より特定の態様には、ヒト好中球エラスターゼの阻害剤が含まれる。特定の利点は、ｅｘ  ｖｉｖｏの全血試料のインタクトな有核細胞において、分析物を安定化させるための液体組成物の特定の態様によって提供され、該液体組成物には、Ｓｉｖｅｌｅｓｔａｔ、ＡＥＢＳＦ、およびその混合物より選択されるプロテアーゼ阻害剤が含まれる。「Ｓｉｖｅｌｅｓｔａｔ」または「ＯＮＯ−５０４６」として市販されている化合物はまた、Ｎ−｛２−［（｛４−［（２，２−ジメチルプロパノイル）オキシ］フェニル｝スルホニル）アミノ］ベンゾイル｝グリシンとしても知られ、選択的好中球エラスターゼ阻害剤である。ＡＥＢＳＦは、４−（２−アミノエチル）ベンゼンスルホニルフルオリドの略称であり、ＡＥＢＳＦは水溶性であり、そして不可逆的セリンプロテアーゼ阻害剤である。塩酸塩は、Ｐｅｆａｂｌｏｃ（登録商標）ＳＣとして商業的に入手可能である。本明細書に開示するようなすべての側面の特定の態様において、そして特定の利点を伴い、Ｐｅｆａｂｌｏｃ（登録商標）ＳＣを全血試料に添加して、０．０５〜１ｍＭ、より具体的には０．１〜０．５ｍＭ、そしてさらにより具体的には０．２〜０．３ｍＭ、特に約０．２５ｍＭの最終濃度を生じる。
【００３３】
Ｐｅｆａｂｌｏｃ（登録商標）ＳＣは、２３９．５ダルトンの分子量を持つ水溶性セリンプロテアーゼ阻害剤であり、当該技術分野に４−（２−アミノエチル）ベンゼンスルホニルフルオリド塩酸塩（ＡＥＢＳＦ）としても知られる。該化合物は、キモトリプシン、カリクレイン、プラスミン、トロンビン、およびトリプシンのようなプロテアーゼを阻害することが可能である。
【００３４】
全血試料の有核細胞を安定化させるため、試料に細胞代謝可能糖を補充することが好適であることもまた見出された。本明細書に開示するようなすべての側面の特定の態様において、糖はグルコースおよびフルクトースより選択される。さらにより特定の態様において、グルコースは１５〜２５ｍＭの最終濃度まで、好適には１９〜２１ｍＭの最終濃度まで、特に約２０ｍＭの最終濃度まで添加される。
【００３５】
本明細書に開示するようなさらなる側面は、本明細書に開示するようなｅｘ  ｖｉｖｏの全血試料のインタクトな有核細胞において、分析物を安定化させるための液体組成物を含む部分のキットであって、該組成物が水溶液であり、該溶液が抗凝血剤、リン酸塩、細胞代謝可能糖、アデニン、および抗酸化剤を含み、該抗酸化剤がミトコンドリア標的抗酸化剤を含み、該液体組成物が採血容器中に封入されており、該キットがパッケージング材料、ラベル、および使用説明書シートをさらに含む、前記キットである。
【００３６】
本明細書に開示するようなすべての側面および態様において、ｅｘ  ｖｉｖｏの全血試料のインタクトな有核細胞において、分析物を安定化させるための液体組成物は、好適には、採血容器中に含有されている。その例は、当該技術分野に「バキュテナー」として知られる。バキュテナーは、密閉具および試験管内の真空が備えられた、無菌ガラスまたはプラスチック試験管として提供される血液収集試験管であり、被験体静脈から全血試料などの液体をあらかじめ決定された体積で抜き取ることが容易である。本開示にしたがったバキュテナー試験管は、分析試験前に、全血試料を安定化させ、そして保存するため、ｅｘ  ｖｉｖｏの全血試料のインタクトな有核細胞において、分析物を安定化させるための液体組成物を含有する。安全操作密閉具を伴いまたは伴わず、多様なラベリングオプションおよび密閉具を伴うとともに、ある範囲の採血体積の試験管が入手可能である。
【００３７】
血液収集プロセスにおいて、まず、半透明のプラスチックホルダー中に保持されている皮下針で静脈を穿通する。針は両頭であり、第二のより短い針は、安全のため、ホルダーによって覆われている。バキュテナー試験管がホルダー内に押し込まれると、ゴムのキャップが第二の針によって貫通され、そして血液体積および試験管中の真空の間の圧の相違が、針を通じて、そして試験管内に、血液を流し込む。次いで、充填された試験管を取り除き、そして別のものを挿入して、そして同じ方式で充填してもよい。なお幾分かの吸引が残っており、撤回に際して疼痛を引き起こす可能性もあるため、針の撤回前に試験管を取り除くことが重要である。収集試験管が針から取り除かれたら、試験管内部の全血試料は被験体の身体から離れ、したがって、ｅｘ  ｖｉｖｏ全血試料となる。したがって、本明細書に開示するようなすべての側面の別の特定の態様は、（ａ）本明細書に開示するようなｅｘ  ｖｉｖｏの全血試料のインタクトな有核細胞において、分析物を安定化させるための液体組成物、および（ｂ）ある量の全血、すなわちｅｘ  ｖｉｖｏの全血の測定されたおよび／またはあらかじめ決定された量である試料の混合物を封入する。
【００３８】
本明細書に開示する別の側面は、本明細書に開示するようなｅｘ  ｖｉｖｏの全血試料のインタクトな有核細胞において、分析物を安定化させるための液体組成物の使用であって、該組成物が水溶液であり、該溶液が抗凝血剤、リン酸塩、細胞代謝可能糖、アデニン、および抗酸化剤を含み、該抗酸化剤がミトコンドリア標的抗酸化剤を含み、該使用がｅｘ  ｖｉｖｏの全血試料のインタクトな有核細胞において、ＤＮＡ、ＲＮＡおよびタンパク質より選択される分析物を安定化させることを目的とする、前記使用である。
【００３９】
したがって、本明細書に開示する別の側面は、ｅｘ  ｖｉｖｏの全血試料のインタクトな有核細胞を安定化させるための方法であって、（ａ）ｅｘ  ｖｉｖｏの全血試料を提供し；（ｂ）本明細書に開示するようなｅｘ  ｖｉｖｏの全血試料のインタクトな有核細胞において、分析物を安定化させるための液体組成物と、工程（ａ）の試料を接触させ、そして混合し、該組成物が水溶液であり、該溶液が抗凝血剤、リン酸塩、細胞代謝可能糖、アデニン、および抗酸化剤を含み、該抗酸化剤がミトコンドリア標的抗酸化剤を含み；（ｃ）工程（ｂ）で得た混合物をインキュベーションし、それによって、ｅｘ  ｖｉｖｏ全血試料のインタクトな有核細胞を安定化させる工程を含む、前記方法である。本明細書に開示するようなすべての側面の特定の態様において、本明細書に開示するような液体組成物と接触し、そして混合された全血試料を、延長された時間間隔に渡って室温でインキュベーションすることも可能であり、それによって、全血試料中に存在する有核細胞、ならびに細胞中の分析物、特にＤＮＡ、ＲＮＡ、およびタンパク質は安定化されている。特定の態様において、工程（ｂ）で得た混合物をインキュベーションする工程は、その後、検出しようとする分析物に応じて、０時間〜１２時間、０時間〜２４時間、０時間〜３６時間、０時間〜４８時間、０時間〜６０時間、および０時間〜７２時間、またはさらにより長期間からなる群より選択される時間間隔に渡って、室温で実行することも可能である。
【００４０】
本明細書に開示するようなすべての側面の態様において、安定化のための標的細胞は、全血のｅｘ  ｖｉｖｏ試料中に存在する有核細胞である。特に、有核細胞は、造血細胞系譜の有核細胞または非造血細胞系譜の有核細胞である。特に、造血細胞系譜の有核細胞は、巨核球、血小板、有核赤血球、マスト細胞、骨髄芽球、好塩基球、好中球、好酸球、単球、マクロファージ、大型顆粒リンパ球、小型リンパ球、Ｔリンパ球、Ｂリンパ球、形質細胞、および樹状細胞、または前記細胞タイプいずれかの前駆体からなる細胞タイプの群より選択される。別の特定の態様において、有核細胞は、造血細胞系譜の有核癌細胞である。
【００４１】
本明細書に開示するようなすべての側面のさらなる態様において、安定化のための標的細胞は、全血のｅｘ  ｖｉｖｏ試料中に存在する有核細胞であり、該有核細胞は、２またはそれより多い細胞分裂を経て、それによって娘細胞を形成することが可能である。特定の態様において、有核細胞は、ｉｎ  ｖｉｖｏだけでなく、培地中で、ｅｘ  ｖｉｖｏでも、細胞分裂を経ることが可能である。したがって、本開示、その側面および態様は、ｅｘ  ｖｉｖｏの全血試料のインタクトな有核標的細胞の生存能を補助し、そして／または維持するための液体組成物を提供し、該組成物が水溶液であり、該溶液が抗凝血剤、リン酸塩、細胞代謝可能糖、アデニン、および抗酸化剤を含み、該抗酸化剤がミトコンドリア標的抗酸化剤、好ましくはＳｋＱ１、ＭｉｔｏＱ、ＳＳ−３１、およびその混合物からなる群より選択されるミトコンドリア標的抗酸化剤を含み、ここでインタクトな有核標的細胞は、１またはそれより多い細胞分裂を経ることが可能である。より具体的には、有核標的細胞は、培地中で１またはそれより多い細胞分裂を経ることが可能である。
【００４２】
これに関して、当業者は、哺乳動物細胞、特にヒト細胞、より具体的にはヒト起源の癌細胞の生存能および細胞分裂を補助する、異なる培地を熟知している。特定の態様において、培地は、本文書に開示するような全血のｅｘ  ｖｉｖｏでのインタクトな有核標的細胞の生存能を補助し、そして／または維持するための組成物の非存在下で、細胞生存能および細胞分裂を補助する。
【００４３】
一方、休止状態であるにも関わらず、有核標的細胞の生存能は、開示するような安定化液体組成物と混合されたｅｘ  ｖｉｖｏ全血試料において維持される。他方、そして驚くべきことに、休止状態にある有核標的細胞は、安定化された血液試料から単離可能であり、そして培養に投入可能であり、それによって、安定化剤からひとたび取り除かれたならば、有核細胞は生理学的に再び活性となる。言い換えると、安定化組成物を含む全血試料から有核標的細胞を取り除くと、細胞分裂に必要な生物学的機能さえ含めて、休止状態が逆転される。したがって、当業者はここで、全血試料から有核標的細胞を単離するための改善された手段を与えられ、ここで特定の態様において、標的細胞は、ｅｘ  ｖｉｖｏで細胞分裂を経ることが可能であり、そしてより具体的には、標的細胞は癌細胞、例えば限定されるわけではないが、循環腫瘍細胞である。
【００４４】
さらに、本明細書に開示するようなすべての側面のさらなる態様において、全血のｅｘ  ｖｉｖｏ試料中に存在する有核標的細胞を単離し、そして培養する方法であって、（ａ）ｅｘ  ｖｉｖｏの全血試料を提供し；（ｂ）液体組成物と、工程（ａ）の試料を接触させ、そして混合し、該組成物が水溶液であり、該溶液が抗凝血剤、リン酸塩、細胞代謝可能糖、アデニン、および抗酸化剤を含み、該抗酸化剤がミトコンドリア標的抗酸化剤、好ましくはＳｋＱ１、ＭｉｔｏＱ、ＳＳ−３１、およびその混合物からなる群より選択されるミトコンドリア標的抗酸化剤を含み；（ｃ）工程（ｂ）で得た混合物をインキュベーションし、それによって、ｅｘ  ｖｉｖｏ全血試料のインタクトな有核細胞を安定化させ；工程（ｃ）のインキュベーションした混合物から有核細胞を分離し、そして分離した有核細胞と培地を接触させ；そして（ｄ）培地中で有核細胞をインキュベーションする工程を含む、前記方法を提供する。特定の態様において、液体組成物は、任意の側面および態様において、本明細書に開示するようなｅｘ  ｖｉｖｏの全血試料のインタクトな有核細胞において、分析物を安定化するための液体組成物より選択される。
【００４５】
ヒトの身体全体に広がった転移性腫瘍を伴う癌は、原発性腫瘍を伴う癌よりも取り除きまたは治療することがより困難である。転移性疾患を持つ患者において、循環腫瘍細胞（ＣＴＣ）が静脈血中に見出されうる。これらの循環腫瘍細胞は、転移性癌増殖の潜在的な種である。これらの細胞を検出することが、癌ケアにおいて特に望ましい。したがって、本明細書に開示する教示、側面および態様は、この目的のためのさらなる手段を提供する。
【００４６】
したがって、本明細書に開示するようなすべての側面のさらにさらなる態様において、安定化のための標的細胞は、全血のｅｘ  ｖｉｖｏ試料中に存在する有核癌細胞である。特に、安定化のための標的細胞は、全血のｅｘ  ｖｉｖｏ試料中に存在する有核細胞であって、全血試料を得る個人が、安定化（および検出）前に癌に罹患している、前記有核細胞である。特定の態様において、標的細胞は、非造血細胞系譜の有核細胞、特に非造血細胞系譜の癌細胞である。特に、癌細胞は循環腫瘍細胞、特に固形腫瘍から循環内に剥落した細胞であり、循環にはリンパおよび血液が含まれる。
【００４７】
本明細書に開示するようなすべての側面の特定の態様において、循環腫瘍細胞は、上皮、結合組織、骨、軟骨、筋肉、および神経細胞からなる群より選択される細胞の固形腫瘍より選択される。循環腫瘍細胞は、本開示が本明細書において、ある期間に渡って、好ましくは室温で、全血において癌細胞を安定化させることによって、全血において検出可能にすることを目的とする、特定の有核細胞である。
【００４８】
以下の実施例、図、および配列表は、本発明の理解を補助するために提供され、本発明の真の範囲は、付随する請求項に示される。本明細書に提供するような開示および教示の精神から逸脱することなく、示す方法において、修飾を行うことも可能であることが理解される。
【実施例】
【００４９】
実施例１
細胞タンパク質の保存
ＭＤＡ−ＭＢ−４６８、ヒト乳癌細胞株の懸濁細胞を、健康な個人から得た血液試料内にスパイク処理して、１ｍｌ血液あたり１００，０００のスパイク処理細胞を生じた。試料を直ちにまたは室温で４８時間保管した後のいずれかでプロセシングした。試料１は、抗凝血剤としてＥＤＴＡのみを含有し、そして添加剤はなく、試料２〜６には、それぞれ、Ｓｉｖｅｌｅｓｔａｔ（１０μｇ／ｍｌ）、Ｐｅｆａｂｌｏｃ（登録商標）ＳＣ（１ｍＭ）、ＳｋＱ１（１００ｎＭ）、ＭｉｔｏＱ（１００ｎＭ）およびグルタチオン（３ｍＭ）を補充した。
【００５０】
赤血球溶解によって有核細胞を濃縮した。５０μｌアリコットの各試料を、２００μｌの溶解緩衝液（１００ｍＭ  ＮＨ４Ｃｌ、５ｍＭ  Ｈｅｐｅｓ、０．５ｍＭ  ＫＨＣＯ３、０．１ｍＭ  ＥＤＴＡ）と混合し、そして室温で１０分間インキュベーションした。２００ｘｇで１５分間遠心分離した後、上清を取り除き、そしてペレットを２５０μｌの溶解緩衝液中に再懸濁した。２００ｘｇで１５分間遠心分離した後、上清を取り除き、そして１，０００μｌのＰＢＳ、０．３ｍＭ  ＥＤＴＡに再懸濁した。細胞を２００ｘｇ、１５分間の遠心分離によって沈降させた。ペレットをＰＢＳ、０．３ｍＭ  ＥＤＴＡに再懸濁し、そして試料の体積を５００μｌに調整した。
【００５１】
各試料に関して、５０μｌの細胞懸濁物をガラススライド上にスポット処理し、そして風乾した。スライドを氷冷アセトン中で１０分間固定し、ＰＢＳで２回洗浄し、そしてＰＢＳ中で１：５０希釈した抗サイトケラチンＫ５／Ｋ８−ＦＩＴＣ標識抗体（サイトケラチン＝ＣＫ）を含有する標識混合物に浸した。暗所で３０分間インキュベーションした後、上清を取り除いた。ＤＡＰＩ含有マウンティング培地を添加し、スポットをカバースリップで覆い、そして２０分間さらにインキュベーションした後、Ｚｅｉｓｓ  Ａｘｉｏ  Ｏｂｓｅｒｖｅｒ顕微鏡上で分析した。ＺｅｉｓｓのＡｓｓａｙ  Ｂｕｉｌｄｅｒソフトウェアを用いて、有核細胞およびＣＫ５／８陽性細胞の総数を分析した。結果を図１に示す。Ｓｉｖｅｌｅｓｔａｔ（好中球エラスターゼ阻害剤）およびＰｅｆａｂｌｏｃ（登録商標）ＳＣ（セリンプロテアーゼ阻害剤）のようなプロテアーゼ阻害剤を含有する試料は、添加剤を含まない対照試料よりもより高いシグナルを示した。ミトコンドリアを標的とする抗酸化剤、ＳｋＱ１およびＭｉｔｏＱでは、特に陽性の効果が観察された。抗酸化剤グルタチオンではさらに陽性の効果が観察された。
【００５２】
図１は、室温で４８時間保管した後の、血液試料内にスパイク処理したＭＤＡ−ＭＢ−４６８細胞の検出を例示する。抗ＣＫ５／８抗原で免疫染色することによって検出されるＭＤＡ−ＭＢ−４６８細胞の割合を示す。
【００５３】
実施例２
細胞タンパク質の保存
ＭＤＡ−ＭＢ−４６８細胞を、健康な個人から得た血液試料内にスパイク処理して、１００，０００スパイク処理細胞／ｍｌ血液の濃度を生じた。試料を直ちにまたは室温で４８時間保管した後のいずれかでプロセシングした。試料１は、単独の抗凝血剤としてＥＤＴＡを含有し、そしてさらなる添加剤を含有せず、試料２〜４は、安定化剤として、クエン酸塩（１１．７ｍＭ）／クエン酸（２．１ｍＭ）、ＮａＨ２ＰＯ４（２．１ｍＭ）、デキストロース（２０．１ｍＭ；デキストロース＝Ｄ−グルコース）、アデニン（０．２４ｍＭ）を含有した。試料３にはさらに、ミトコンドリア標的抗酸化剤ＳＳ−３１（１μＭ）が、試料４にはグルタチオン（０．７５ｍＭ）が補充された。実施例１に記載するように、赤血球溶解によって有核細胞を濃縮し、そしてプロセシングした。
【００５４】
結果を図２に示す。実施例１の結果に加えて、抗酸化剤はまた、クエン酸抗凝血処理血液においても陽性効果を示した。図２は、室温で４８時間保管した後の、血液試料内にスパイク処理したＭＤＡ−ＭＢ−４６８細胞の検出を例示する。蛍光抗ＣＫ５／８抗体で免疫検出することによって検出されるＭＤＡ−ＭＢ−４６８細胞の割合を示す。
【００５５】
実施例３
ＤＮＡの保存
ＥＤＴＡ、または安定化剤３とも称されるグルタチオン（３２５ｍＭ）、ＳＫＱ１（１００μＭ）、およびＰｅｆａｂｌｏｃ（登録商標）ＳＣ（１００ｍＭ）と混合したＥＤＴＡ中の３人の健康な個人由来の血液試料に、血液１ｍｌあたり、２００，０００スパイク処理細胞の最終濃度で、Ｋａｒｐａｓ  ４２２細胞をスパイク処理した。試料を周囲温度で保管した。Ｋａｒｐａｓ細胞は、ｔ（１４；１８）およびｔ（４；１１）染色体転座の両方を所持する、Ｂ細胞非ホジキンリンパ腫（ＮＨＬ）細胞株である。ｔ（１４；１８）転座は、正常な、すなわちｔ（１４；１８）転座不含血液細胞から生じたＤＮＡから、Ｋａｒｐａｓ細胞から生じたＤＮＡを区別するマーカーとして選択された。
【００５６】
試料をセットアップした直後、そして４８時間の室温でのインキュベーション後、赤血球溶解によって、有核細胞を濃縮した。３５０μｌ試料のアリコットを、１，０００μｌの溶解緩衝液（８０ｍＭ  ＮＨ４Ｃｌ、１０ｍＭ  Ｈｅｐｅｓ緩衝液、０．１ｍＭ  ＥＤＴＡ）と混合し、そして室温で１０分間インキュベーションした。３００ｘｇで１５分間遠心分離した後、上清を取り除き、そしてペレットを１，０００μｌの溶解緩衝液中に再懸濁した。３００ｘｇで１５分間遠心分離した後、上清を取り除き、そしてペレットを１，０００μｌのＰＢＳ中に再懸濁した。細胞を３００ｘｇ、１５分間の遠心分離によって沈降させた。ペレットをＰＢＳに再懸濁し、そして製造者によって推奨されるプロトコルにしたがって、Ｈｉｇｈ  Ｐｕｒｅテンプレート調製キット（Ｒｏｃｈｅ  Ａｐｐｌｉｅｄ  Ｓｃｉｅｎｃｅ、カタログ番号１１  ７９６  ８２８  ００１）でＤＮＡを単離した。ＤＮＡをＨｉｇｈＰｕｒｅカラムから、１００μｌ溶出緩衝液で溶出させた。
【００５７】
各試料由来の５μｌ  ＤＮＡのアリコットを２０μｌ  ＰＣＲ反応において、３つ組で用いた。９５℃１０分間の最初の変性、５０周期の９５℃１０秒間、６０℃６０秒間で、ＬｉｇｈｔＣｙｃｌｅｒ  ４８０装置中、Ｌｉｇｈｔｃｙｃｌｅｒ  ４８０  Ｐｒｏｂｅｓ  Ｍａｓｔｅｒ（Ｒｏｃｈｅ  Ａｐｐｌｉｅｄ  Ｓｃｉｅｎｃｅ、カタログ番号０４７０７４９４００１）で増幅を行った。用いたプライマーおよびプローブ配列は以下の通りであった：ｔ（１４／１８）順方向プライマー  ａｃｃｔｇａｇｇａｇａｃｇｇｔｇａｃ（配列番号１）；  ｔ（１４／１８）逆方向プライマー  ｔｇｇｇｇｔｔｔｔｇａｃｃｔｔｔａｇａｇａ（配列番号２）；  ｔ（１４／１８）−ＦＡＭ検出プローブ  ６ＦＡＭ−ｃｔｃｔｇｇｇｔｇｇｇｔｃｔｇｔｇｔｔｇａａａｃａ−−ＢＨＱ２（配列は配列番号３である）。
【００５８】
室温で４８時間、試料を保管したことによって引き起こされる通過点（ｃｒｏｓｓｉｎｇ  ｐｏｉｎｔ）（用語定義に関しては実施例４を参照されたい）の相違を図３に示す。試験した両条件において、ＤＮＡの有意な分解はなかった。しかし、安定化剤３の存在下で、試料間変動の減少が観察され、そしてまたアッセイ内変動の減少も観察された。
【００５９】
実施例４
ＲＮＡの保存
循環腫瘍細胞を含有する乳癌患者由来の血液試料を、「安定化剤４」と称されるクエン酸塩（１１．７ｍＭ）／クエン酸（２．１ｍＭ）、ＮａＨ２ＰＯ４（２．１ｍＭ）、デキストロース（２０．１ｍＭ）、アデニン（０．２４ｍＭ）およびＳｋＱ１（１００ｎＭ）中、またはＣｅｌｌＳａｖｅ（Ｖｅｒｉｄｅｘ  Ｃｅｌｌ  Ｓａｖｅ  Ｐｒｅｓｅｒｖａｔｉｖｅチューブ、カタログ番号７９００００５）中のいずれかで収集した。試料＃５９、＃６０、＃６２、＃６３、＃５８を室温で４８時間保管し、試料＃５５、＃５６および＃５７を室温で７２時間保管した。赤血球溶解によって有核細胞を濃縮した。３５０μｌ血液試料のアリコットを、１，０００μｌの溶解緩衝液（８０ｍＭ  ＮＨ４Ｃｌ、１０ｍＭ  Ｈｅｐｅｓ、０．１ｍＭ  ＥＤＴＡ）と混合し、室温で１０分間インキュベーションし、３００ｘｇで１５分間遠心分離し、１，０００μｌの溶解緩衝液で洗浄し、３００ｘｇで１５分間遠心分離した。ペレットを２００μｌのＰＢＳ中に溶解し、そしてこれらの細胞から、Ｒｏｃｈｅ  Ａｐｐｌｉｅｄ  Ｓｃｉｅｎｃｅｓ、カタログ番号１１８２８６６５００１のＨｉｇｈ  Ｐｕｒｅ  ＲＮＡ単離キットでＲＮＡを単離した。５６μｌの溶出緩衝液でカラムから溶出させた。Ｔｒａｎｓｃｒｉｐｔｏｒ第一鎖ｃＤＮＡ合成キット（Ｒｏｃｈｅ  Ａｐｐｌｉｅｄ  Ｓｃｉｅｎｃｅｓ、カタログ番号０４８９７０３０００１）を用いて、反応体積２０μｌ中で、単離ＲＮＡ由来の２μｌアリコットを逆転写した。ＬｉｇｈｔＣｙｃｌｅｒ  ４８０装置中、ＬｉｇｈｔＣｙｃｌｅｒ  ４８０  Ｐｒｏｂｅｓ  Ｍａｓｔｅｒを用いて、５μｌ  ｃＤＮＡのアリコットを増幅した。用いたプライマーおよびプローブを表１に記載する。
【００６０】
表１：
【００６１】
【表１】
0006382323.tif 000002
§には５’ＦＡＭ標識、および３’−ＢＨＱ２標識が含まれる。
＄には５’ＦＡＭ標識、および３’−ＴＡＭＲＡ標識が含まれる。
【００６２】
ＲＴ（＝逆転写）−ＰＣＲを含むリアルタイムＰＣＲは、ＤＮＡ増幅の線形性を用いて、試料中の既知の配列の絶対または相対量を決定する。反応において、蛍光レポーターを用いることによって、ＰＣＲの各周期で、ＤＮＡ生成を監視する。ＤＮＡが増幅の対数線形期にある場合、蛍光の量はバックグラウンドを超えて増加する。蛍光がバックグラウンドに対して測定可能になる増幅周期は、閾値周期または「通過点」と呼ばれる。
【００６３】
結果を表２ａ〜２ｄに示す。各セクション（２ａ〜２ｄ）において、最初の行は、試料番号および室温でのそれぞれの保管時間を示す。第二行は、安定化剤試薬のタイプを明記する。ＲＴ−ＰＣＲを２つ組で行い、「試験Ａ」および「試験Ｂ」と示した。表中の数字は、リアルタイムＲＴ−ＰＣＲ後に得られた通過点である。「ｎｅｇ」は陰性結果を示す。
【００６４】
表２ａ
【００６５】
【表２−１】
0006382323.tif 000003
【００６６】
表２ｂ
【００６７】
【表２−２】
0006382323.tif 000004
【００６８】
表２ｃ
【００６９】
【表２−３】
0006382323.tif 000005
【００７０】
表２ｄ
【００７１】
【表２−４】
0006382323.tif 000006
【００７２】
上に示すＲＮＡ分子は、特定のタイプの循環腫瘍細胞に特異的であることが知られる。したがって、Ｅ−カドヘリン、ＥｐＣａｍ、Ｍｕｃ１、サイクリン、ＣＡＶおよびＣＫ１８をコードするＲＮＡは、驚くべきことに、安定化剤４で保存される試料において検出可能なままであった。白血球中でやはり発現されるｃＭｙｃ  ＲＮＡは、安定化剤試薬ＣｅｌｌＳａｖｅでもまた検出可能であったが、通過点に強いシフトを伴った。これは、それぞれのＲＮＡレベルが、数桁減少したことを示した。
【００７３】
対照として用いたハウスキーピング遺伝子ＲＮＡ、ＰＰＩＡ、ＴＢＰ、ベータ２ｍおよびＧＡＰＤＨは、すべての試料において検出可能であった。しかし、ＣｅｌｌＳａｖｅで安定化された試料は、非常に高い通過点を示し、そしてしたがって非常に低いＲＮＡレベルであった。
【００７４】
本実施例は、４８時間または７２時間保管した血液試料において、ＲＮＡが、安定化剤４試薬中で保存可能であることを示す。
実施例５
７２時間の試料保管後に単離された細胞由来のＲＮＡの定量化
ＭＤＡ−ＭＢ−４６８細胞を、２人の健康な個人から得た血液試料内に、１４．４ｘ１０６細胞／ｍｌでスパイク処理した。各ドナーから４つの試料を調製した。試料１および２は、抗凝血剤としてＥＤＴＡのみを含有し、そして添加剤は含有せず、試料３および４は、安定化剤として、クエン酸塩（１１．７ｍＭ）、クエン酸（２．１ｍＭ）、ＮａＨ２ＰＯ４（２．１ｍＭ）、デキストロース（２０．１ｍＭ）、アデニン（０．２４ｍＭ），Ｐｅｆａｂｌｏｃ（登録商標）ＳＣ（０．２５ｍＭ）、ＳＳ−３１（１μＭ）およびアセチルサリチル酸（１ｍＭ）で安定化された（「安定化剤５」）。これらの試料由来のアリコットをセットアップ後、直ちにプロセシングし、他のアリコットを室温で７２時間保管した後にプロセシングした。製造者によって推奨されるプロトコルにしたがって、試料材料１，０００μｌアリコットを用い、Ａｄｎａｇｅｎ、カタログ番号Ｔ１−５０８のＢｒｅａｓｔＳｅｌｅｃｔＢｅａｄｓで捕捉することによって、ＭＤＡ−ＭＢ−４６８細胞を血液から単離した。
【００７５】
ビーズ捕捉精製細胞を１，０００μｌ  ＰＢＳ中に再懸濁した。２００μｌアリコットを用いて、プログラム「ＤＮＡ  ＬＶ  Ｂｌｏｏｄ＿２０＿２００」および溶出体積１００μｌを用い、ＭａｇＮＡ  Ｐｕｒｅ  ＬＣ  ＤＮＡ単離キット−大容量、カタログ番号０３３１０５０５００１を用いて、ＲＮＡを単離した。
【００７６】
７０μｌ体積の反応において、Ｔｒａｎｓｃｒｉｐｔｏｒ第一鎖ｃＤＮＡ合成キット、カタログ番号０４８９７０３０００１を用いてＲＮＡをｃＤＮＡに転写し、各反応は１２．５μｌの単離核酸を含有した。５μｌのｃＤＮＡ試料を含有する２０μｌ反応において、ＬｉｇｈｔＣｙｃｌｅｒ  ４８０装置において、ＬｉｇｈｔＣｙｃｌｅｒ  ４８０  Ｐｒｏｂｅｓ  Ｍａｓｔｅｒで、ＰＣＲを行った。最初の変性は、９５℃１０分間であり、９５℃１０秒間の変性および５８℃１分間のアニーリング／伸長の５０周期を行った。検出形式：二色加水分解プローブＵＰＬ（Ｕｎｉｖｅｒｓａｌ  Ｐｒｏｂｅ  Ｌｉｂｒａｒｙ、Ｒｏｃｈｅ  Ｄｉａｇｎｏｓｔｉｃｓ  ＧｍｂＨ、ドイツ・マンハイム）プローブは以下に示す通り。表３は、分析したＲＮＡ／ＤＮＡ標的のためのプライマー／プローブを記載する。
【００７７】
試験するＲＮＡ標的の発現レベルの変化を定量化するため、ＬｉｖａｋおよびＳｃｈｍｉｔｔｇｅｎの相対定量化法を用いた（Ｌｉｖａｋ  Ｋ．Ｊ．およびＳｃｈｍｉｔｔｇｅｎ  Ｔ．Ｄ．，  Ｍｅｔｈｏｄｓ  ２００１，  ２５（４）  ４０２−４０８）。得たＲＮＡ値の規準化のための参照を提供するため、総核酸調製物中に存在するＤＮＡから、ＧＣＫ標的を増幅した。
【００７８】
図４は、ＥＤＴＡ中で保管された血液から単離した細胞由来のＲＮＡレベルの強い減少を示す。細胞を安定化剤５中で保管した血液から単離した場合、ＲＮＡに対して非常に小さい影響しか観察されなかった。発現パターンは、保管中にわずかにしか影響を受けなかった。
【００７９】
表３：
【００８０】
【表３−１】
0006382323.tif 000007
【００８１】
【表３−２】
0006382323.tif 000008
§には５’ＦＡＭ標識、および３’−ＢＨＱ２標識が含まれる。
＄には５’ＦＡＭ標識、および３’−ＴＡＭＲＡ標識が含まれる。
【００８２】
実施例６
４８時間の試料保管後の生存細胞の単離
ＭＤＡ−ＭＢ−４６８細胞を、健康な個人から得た血液試料にスパイク処理して、３００，０００スパイク処理細胞／ｍｌ血液の最終濃度を生じた。試料を直ちに、または室温で４８時間保管した後にプロセシングした。試料１は、抗凝血剤としてＥＤＴＡのみを含有し、そしてさらなる添加剤は含有せず、試料２は、安定化剤として、クエン酸塩（１１．７ｍＭ）／クエン酸（２．１ｍＭ）、ＮａＨ２ＰＯ４（２．１ｍＭ）、デキストロース（２０．１ｍＭ）、アデニン（０．２４ｍＭ），Ｐｅｆａｂｌｏｃ（登録商標）ＳＣ（０．２５ｍＭ）、ＳＳ−３１（１μＭ）およびアセチルサリチル酸（１ｍＭ）を含有した（「安定化剤５」、実施例５を参照されたい）。
【００８３】
試料セットアップ後、直ちに、そして４８時間後、有核細胞を赤血球溶解によって濃縮した。４ｍｌの溶解緩衝液（８０ｍＭ  ＮＨ４Ｃｌ、１０ｍＭ  Ｈｅｐｅｓ緩衝液、０．１ｍＭ  ＥＤＴＡ）と１ｍｌ血液のアリコットを混合し、そして室温で１０分間インキュベーションした。２００ｘｇで１５分間遠心分離した後、上清を取り除き、そしてペレットを２ｍｌのＰＢＳ／３ｍＭ  ＥＤＴＡ中に再懸濁した。細胞を２００ｘｇ、１５分間の遠心分離によって沈降させた。上清を取り除き、そして細胞ペレットを、２ｍＭ  ＥＤＴＡおよび０．５％ＢＳＡを補充した３００μｌのＰＢＳ中に再懸濁した。
【００８４】
製造者によって推奨されるプロトコルを利用して、ＭｉｌｔｅｎｙｉのＣＤ３２６（ＥｐＣＡＭ）微小粒子（カタログ番号１３０−０６１−１０１）、ＭＳカラムおよびＭＡＣＳ分離装置系（Ｍｉｌｔｅｎｙカタログ番号１３０−０４２−２０１、１３０−０４２−１０２）を用いて、これらの試料からＭＤＡ−ＭＢ−４６８細胞を単離した。
【００８５】
濃縮細胞を３００μｌのＲＰＭＩ培地中に懸濁した。
トリパンブルー排除法を用いて、細胞の生存能を試験した。１０μｌの各試料を１０μｌのトリパンブルー（Ｓｉｇｍａ−Ａｌｄｒｉｃｈ  Ｔ８１５４）と混合した。色素を排除するＭＤＡ−ＭＢ−４６８細胞の数をＮｅｕｂａｕｅｒチャンバー中で計数した。血液試料内にスパイク処理した細胞数を１００％として用いて、生存細胞収率を計算した。
【００８６】
表４は、２人のドナー由来の血液試料で得た結果を示す。安定化剤５は、細胞のかなりの数を保存しうる。安定化剤としてＥＤＴＡのみを用いた場合、細胞生存能は、驚くほど有意な度合いまで、負に影響を受けた。
【００８７】
表４：
【００８８】
【表４】
0006382323.tif 000009
【００８９】
実施例７
安定化された血液から単離された細胞は培養可能である
実施例６に記載するように処理され、そして単離されたＭＤＡ−ＭＢ−４６８を、リアルタイム細胞分析装置（ＲＴＣＡ）ＭＰ（ｘＣＥＬＬｉｇｅｎｃｅ系）のため、Ｅ−Ｐｌａｔｅ  ９６ウェル・デバイス（Ｒｏｃｈｅ  Ａｐｐｌｉｅｄ  Ｓｃｉｅｎｃｅ、カタログ番号０６４７２４５１００１、Ｒｏｃｈｅ  Ｄｉａｇｎｏｓｔｉｃｓ  ＧｍｂＨ、ドイツ・マンハイム）のウェル内に植え付けた。細胞の５０μｌアリコットを、５０μｌのＲＰＭＩ培地を含有するウェル内に植え付けた。分析のため、デュプリケートを用いた。Ｅ−Ｐｌａｔｅを３７℃で一晩、インキュベーター中でインキュベーションして、Ｅ−Ｐｌａｔｅの底部へのＭＤＡ−ＭＢ−４６８細胞の付着を可能にした。混入した血液由来細胞を除去するため、培地を取り除き、そして培養プレートに付着した細胞をＰＢＳで３回洗浄した。ウェルあたり１５０μｌの新鮮なＲＰＭＩ培地を添加し、そしてＥ−Ｐｌａｔｅをリアルタイム細胞分析装置に移した。１０１時間に渡って、１時間に１回、細胞インデックスを測定した。
【００９０】
結果を図５に示す。本発明に記載する安定化剤中で４８時間保管した血液から単離した細胞を用いて、細胞増殖を観察することも可能である。
ＥＤＴＡのみで安定化した細胞と比較を行った。その結果、ＥＤＴＡのみを用いて４８時間保管した血液から単離した細胞は、それ以上培養可能ではない。
【図１】
0006382323.tif 000010
【図２】
0006382323.tif 000011
【図３】
0006382323.tif 000012
【図４】
0006382323.tif 000013
【図５】
0006382323.tif 000014
【配列表】
0006382323000001.app